(57)【要約】【課題】筆圧がより小さくてすみ、軌跡の入力がより容易な受付装置等を提供できる。【解決手段】発光部から発した光がタッチペンＰにより反射される際に生じる反射光を受光部で受光することでタッチペンＰの位置を検出する光検出部３１０と、画像の表示を行なわず、タッチペンＰの軌跡を検出することでユーザの入力を受け付ける検出領域３３０と、検出領域３３０とは異なる領域に設けられ、検出領域３３０におけるユーザの入力に関連する画像を表示する表示部３２０と、を備える受付装置。【選択図】図４
2018195066.tif 000002
【特許請求の範囲】
【請求項１】
発光部から発した光が被検出体により反射される際に生じる反射光を受光部で受光することで被検出体の位置を検出する光検出部と、
画像の表示を行なわず、被検出体の軌跡を検出することでユーザの入力を受け付ける検出領域と、
前記検出領域とは異なる領域に設けられ、当該検出領域におけるユーザの入力に関連する画像を表示する表示部と、
を備える受付装置。
【請求項２】
前記検出領域は、ユーザがサインを行なう領域であることを特徴とする請求項１に記載の受付装置。
【請求項３】
前記表示部は、ユーザに対し、軌跡の入力を促す案内を表示することを特徴とする請求項１に記載の受付装置。
【請求項４】
前記表示部は、ユーザに対し、軌跡としてサインの入力を行なわせるための料金の案内をすることを特徴とする請求項３に記載の受付装置。
【請求項５】
決済処理を管理する決済管理装置と、
前記決済管理装置に対し決済に必要な取引データの送受信を行なう決済端末装置と、
決済を行なうために必要なユーザのサインを受け付ける受付装置と、
を備え、
前記受付装置は、
発光部から発した光が被検出体により反射される際に生じる反射光を受光部で受光することで被検出体の位置を検出する光検出部と、
画像の表示を行なわず、被検出体の軌跡を検出することでユーザの入力を受け付ける検出領域と、
前記検出領域とは異なる領域に設けられ、当該検出領域におけるユーザの入力に関連する画像を表示する表示部と、
を備える決済システム。
【発明の詳細な説明】
【技術分野】
【０００１】
本発明は、受付装置、決済システムに関する。
【背景技術】
【０００２】
例えば、商品やサービスの購入を行なうときにクレジットカードにより決済を行なう場合がある。このとき購入者のサインが必要となる場合があり、従来は、このサインを利用明細等の紙上に行なうのが一般的である。また昨今は、タッチパネルに支払い金額等が表示され、ユーザがタッチペンなどを使用してタッチパネルにサインを行なうサインパッドが普及しつつある。またサインパッドに入力されたサインと予めユーザにより入力されたサインとを照合し、両者が一致するか否かでユーザの認証を行なう装置も存在する。
【０００３】
特許文献１には、次の情報処理装置が開示されている。つまり取引データ受信手段は、テナントの決済端末から受信した取引データと、決済端末に接続されたサインパッドから手書き入力された決済サインの画像データとを受信する。このとき取引情報記憶手段は、同一の決済にかかる取引データと、決済サインの画像データとを関連付けて、サイン画像有取引データとして記憶する。突合用データ受信手段は、伝票保管サービスから突合対象とする突合用データを受信する。突合リスト出力手段は、取引情報記憶手段が記憶するサイン画像有取引データと、突合用データとを突合し、両者間の相異の有無を示す突合リストを生成して出力する。
【先行技術文献】
【特許文献】
【０００４】
【特許文献１】特開２０１５−２０７１００号公報
【発明の概要】
【発明が解決しようとする課題】
【０００５】
しかしながらタッチパネルを使用してユーザがサイン等の軌跡の入力を行なう場合、タッチパネルが感圧式であるため、大きな筆圧が必要であり、軌跡の入力が困難であった。つまり大きな筆圧で入力を行なわないと、軌跡に欠けなどが生じ、ユーザが意図するような軌跡を入力できない場合があった。
本発明は、筆圧がより小さくてすみ、軌跡の入力がより容易な受付装置等を提供することを目的とする。
【課題を解決するための手段】
【０００６】
請求項１に記載の発明は、発光部から発した光が被検出体により反射される際に生じる反射光を受光部で受光することで被検出体の位置を検出する光検出部と、画像の表示を行なわず、被検出体の軌跡を検出することでユーザの入力を受け付ける検出領域と、前記検出領域とは異なる領域に設けられ、当該検出領域におけるユーザの入力に関連する画像を表示する表示部と、を備える受付装置である。
請求項２に記載の発明は、前記検出領域は、ユーザがサインを行なう領域であることを特徴とする請求項１に記載の受付装置である。
請求項３に記載の発明は、前記表示部は、ユーザに対し、軌跡の入力を促す案内を表示することを特徴とする請求項１に記載の受付装置である。
請求項４に記載の発明は、前記表示部は、ユーザに対し、軌跡としてサインの入力を行なわせるための料金の案内をすることを特徴とする請求項３に記載の受付装置である。
請求項５に記載の発明は、決済処理を管理する決済管理装置と、前記決済管理装置に対し決済に必要な取引データの送受信を行なう決済端末装置と、決済を行なうために必要なユーザのサインを受け付ける受付装置と、を備え、前記受付装置は、発光部から発した光が被検出体により反射される際に生じる反射光を受光部で受光することで被検出体の位置を検出する光検出部と、画像の表示を行なわず、被検出体の軌跡を検出することでユーザの入力を受け付ける検出領域と、前記検出領域とは異なる領域に設けられ、当該検出領域におけるユーザの入力に関連する画像を表示する表示部と、を備える決済システムである。
【発明の効果】
【０００７】
請求項１の発明によれば、タッチパネルに軌跡の入力を行なう場合に比較して、筆圧がより小さくてすみ、軌跡の入力がより容易な受付装置が提供できる。
請求項２の発明によれば、タッチパネルにサインの入力を行なう場合に比較して、欠け等がより少ないサインを入力することができる。
請求項３の発明によれば、ユーザがサイン等の軌跡の入力を行なうタイミングを容易に把握することができる。
請求項４の発明によれば、ユーザが料金を確認した上でサインをすることができる。
請求項５の発明によれば、タッチパネルに軌跡の入力を行なう場合に比較して、決済処理がより簡単になる決済システムが提供できる。
【図面の簡単な説明】
【０００８】
【図１】第１の実施形態における決済システムの全体構成図である。
【図２】決済管理サーバのハードウェア構成例を示した図である。
【図３】決済端末の一例を示した図である。
【図４】（ａ）は、サインパッドの一例を示した図である。（ｂ）は、（ａ）に示したサインパッドのＩＶｂ−ＩＶｂ断面図である。
【図５】光検出部が被検出体を検出する方法について示した図である。
【図６】（ａ）は、検出領域でユーザがサインを行なったときに検出される軌跡の情報について示した図である。（ｂ）は、（ａ）に例示した軌跡の情報からサインの情報を画像情報として生成した場合を示している。
【図７】第１の実施形態における決済システムの動作について示したフローチャートである。
【図８】（ａ）は、第２の実施形態におけるサインパッドの一例を示した図である。（ｂ）は、図８（ａ）に示したサインパッドのＶＩＩＩｂ−ＶＩＩＩｂ断面図である。
【図９】第２の実施形態におけるサインパッドの動作について示したフローチャートである。
【図１０】第３の実施形態におけるサインパッドの動作について示したフローチャートである。
【発明を実施するための形態】
【０００９】
以下、添付図面を参照して、実施の形態について詳細に説明する。
【００１０】
［第１の実施形態］
まず第１の実施形態について説明を行なう。
＜決済システム１の全体構成の説明＞
図１は、第１の実施形態における決済システム１の全体構成図である。
図示する決済システム１は、クレジットカードを使用して商品またはサービスの決済を行なうシステムである。
図示するように、決済システム１は、決済処理を管理する決済管理サーバ１０と、決済管理サーバ１０に対し決済に必要な取引データの送受信を行なう決済端末２０と、決済を行なうために必要な購入者（ユーザ）のサインを受け付けるサインパッド３０とを備える。なお図１には、１つの決済端末２０およびサインパッド３０を示したが、その数はいくつでもよい。
【００１１】
決済管理サーバ１０と決済端末２０とは、ネットワーク９０を介して接続されている。ネットワーク９０は、決済管理サーバ１０と決済端末２０との間の情報通信に用いられる通信手段であり、例えば、決済システム１に使用される専用回線である。またこれに限られるものではなく、公衆電話回線、ＬＡＮ（Local Area Network）、インターネットであってもよい。
【００１２】
決済端末２０とサインパッド３０とは、有線接続されている。有線接続の種類としては特に限られるものではなく、どのようなものでもよい。例えば、ＵＳＢ（Universal Serial Bus）、ＩＥＥＥ１３９４、ＲＳ−２３２Ｃ等が挙げられる。また決済管理サーバ１０と決済端末２０とは、有線接続でなく無線接続で接続してもよい。この場合も無線接続の種類としては特に限られるものではなく、どのようなものでもよい。例えば、Ｗｉ−Ｆｉ（Wireless Fidelity、登録商標）、Ｂｌｕｅｔｏｏｔｈ（登録商標）、ＺｉｇＢｅｅ（登録商標）、ＵＷＢ（Ultra Wideband）等が挙げられる。
【００１３】
決済管理サーバ１０は、決済管理装置の一例であり、クレジットカード会社などに設置される装置であり、決済処理全体の管理を行なうコンピュータ装置である。
決済管理サーバ１０は、ネットワーク９０を介して決済端末２０から送られた取引データを基に取引の可否を判断する。取引データは、例えば、決済端末２０の端末番号、クレジットカードの会員番号、伝票番号、取引日、取引内容、取扱区分、支払い金額などの情報からなる。そして取引の可否結果の情報である取引可否結果情報をネットワーク９０を介して決済端末２０に返信する。
また決済管理サーバ１０は、取引データの保管、管理を行なう。詳しくは後述するが、本実施の決済システム１は、決済が可能であったときにサインパッド３０により商品またはサービスの購入者が、サインを入力する。そのため決済管理サーバ１０は、サインの情報の保管、管理も行なう。
【００１４】
決済端末２０は、決済端末装置の一例であり、商品の販売やサービスの提供等を行なう店舗などに設置される装置であり、クレジットカードによる決済処理が生じた際に上述した取引データを生成する。また決済端末２０は、取引データを印字した利用明細を印字出力する。
【００１５】
サインパッド３０は、受付装置の一例であり、上述したように決済端末２０に接続される。詳しくは後述するが、商品またはサービスの購入者が、クレジットカードで決済を行なう際に、サインを手書き入力により行なうための装置である。サインパッド３０で入力されたサインは、決済端末２０およびネットワーク９０を介し、画像情報として決済管理サーバ１０に送られる。
【００１６】
＜決済管理サーバ１０の構成の説明＞
図２は、決済管理サーバ１０のハードウェア構成例を示した図である。
図示するように、決済管理サーバ１０は、演算手段であるＣＰＵ（Central Processing Unit）１１と、記憶手段であるメインメモリ１２及びＨＤＤ（Hard Disk Drive）１３とを備える。ここで、ＣＰＵ１１は、ＯＳ（Operating System、基本ソフトウェア）やアプリケーションプログラム（応用ソフトウェア）等の各種ソフトウェアを実行する。また、メインメモリ１２は、各種ソフトウェアやその実行に用いるデータ等を記憶する記憶領域であり、ＨＤＤ１３は、各種ソフトウェアに対する入力データや各種ソフトウェアからの出力データ等を記憶する記憶領域である。
さらに、決済管理サーバ１０は、外部との通信を行うための通信インタフェース（以下、「通信Ｉ／Ｆ」と表記する）１４と、ビデオメモリやディスプレイ等からなる表示機構１５と、キーボードやマウス等の入力デバイス１６とを備える。
【００１７】
＜決済端末２０の構成の説明＞
図３は、決済端末２０の一例を示した図である。
図示する決済端末２０は、表示部２１と、キー入力部２２と、カード読取部２３と、印字部２４とを備える。
表示部２１は、例えば、液晶パネルであり、決済処理に関する情報を表示する。決済処理に関する情報は、例えば、支払い金額などの取引データや、次の操作を案内したり誤った操作をしたときに警告するメッセージなどである。
【００１８】
キー入力部２２は、電源キー、テンキー、実行キー、リセットキーなどからなり、決済端末２０に支払い金額を入力したり、取引データを決済管理サーバ１０に送信することを実行する。
【００１９】
カード読取部２３は、クレジットカードに設けられる磁気ストライプに記録された会員番号等のクレジットカード情報を読み取る。カード読取部２３は、溝形状の開口部２３ａを有する。そして開口部２３ａにクレジットカードを挿入し、決済端末２０の筐体後端側から筐体前端側にクレジットカードをスライドさせる。このときカード読取部２３内部に設けられた図示しない磁気ヘッドにより、磁気ストライプに記録されたクレジットカード情報が読み取られる。
【００２０】
印字部２４は、レシートなどの利用明細の印字を行なう。決済端末２０の下部には、図示しないよう仕送りモータ、プラテンローラ、印字ヘッドおよびロール紙が設けられており、ロール紙を仕送りモータおよびプラテンローラにより送出しつつ、印字ヘッドを駆動することで印字を行なう。このとき印字部２４をラインサーマル式とすることで、決済端末２０の小型化を図ることができる。この場合、例えば、ロール紙を、感熱紙とし、印字ヘッドを、サーマルヘッドとする。
【００２１】
＜サインパッド３０の構成の説明＞
図４（ａ）は、サインパッド３０の一例を示した図である。また図４（ｂ）は、図４（ａ）に示したサインパッド３０のＩＶｂ−ＩＶｂ断面図である。
図４（ａ）で図示するように、サインパッド３０は、光学的に被検出体を検出する光検出部３１０と、画像を表示する表示部３２０と、商品やサービスの購入者（ユーザ）がサインを行なう領域である検出領域３３０と、タッチペンを収納するタッチペン収納部３４０と、サインパッド３０全体の制御を行なう制御部３５０とを備える。
【００２２】
光検出部３１０は、例えば、光学センシングバーとも言われ、被検出体の位置を検出する。ユーザがサインパッド３０を使用してサインをするときに、例えば、タッチペンにより行なうときは、光検出部３１０は、このタッチペンを被検出体として検出する。また光検出部３１０は、タッチペン以外のものでもサインパッド３０に対しタッチするものであれば、検出することができる。よって被検出体は、例えば、購入者の指などであってもよい。
【００２３】
図５は、光検出部３１０が被検出体Ｔを検出する方法について示した図である。
図示するように光検出部３１０は、光を発する発光部３１１と、光を受光する受光部３１２とを備える。
発光部３１１は、ＬＥＤ（Light Emitting Diode）等を備え、赤外線等の光を出射する。
受光部３１２は、ＰＤ（Photodiode）等を備え、被検出体Ｔから反射された反射光を受光する。そしてこの反射光に応じた検出信号を出力する。
図示するように、発光部３１１と受光部３１２とは、交互に、かつ直線状に配列する。
【００２４】
この構成において、光検出部３１０は、発光部３１１から発した光が被検出体Ｔにより反射される際に生じる反射光を受光部３１２で受光することで被検出体Ｔの位置を検出することができる。なおこれは、光検出部３１０は、被検出体Ｔの縦横方向の位置である２次元的な位置を検出することができると言うこともできる。つまり被検出体Ｔの図中横方向（Ｘ方向）の位置は、反射光を何れの受光部３１２で検出したかどうかによりわかる。また被検出体Ｔの図中縦方向（Ｙ方向）の位置は、受光部３１２が受光する光の強度によりわかる。即ち、被検出体Ｔが光検出部３１０からより近いほど、受光部３１２で受光する光の強度はより大きくなる。一方、被検出体Ｔが光検出部３１０からより遠いほど、受光部３１２で受光する光の強度はより小さくなる。よって受光部３１２が受光する光の強度により、光検出部３１０と被検出体Ｔとの距離がわかるため、これから被検出体Ｔの図中縦方向の位置がわかる。さらに光検出部３１０は、被検出体Ｔが複数あってもそれぞれの被検出体Ｔを検出することができる。これによりいわゆるマルチタッチの検出を行なうことができる。
【００２５】
また図４（ｂ）に示すように、光検出部３１０は、サインパッド３０の表示部３２０が設けられる面に対し、突出する突起部３１０ａを有する。この突起部３１０ａには、図５に示した発光部３１１および受光部３１２が配される。発光部３１１から発した光のうちサインパッド３０の表示部３２０が設けられる面に沿って進行するものが、被検出体Ｔに当たると反射されて反射光となる。そして被検出体Ｔからの反射光のうち表示部３２０が設けられる面に沿って進行するものは、受光部３１２により受光される。
【００２６】
表示部３２０は、例えば、液晶パネルである。表示部３２０は、検出領域３３０とは異なる領域に設けられ、検出領域３３０におけるユーザの入力に関連する画像を表示する。
この場合、表示部３２０は、ユーザの入力に関連する画像として、ユーザに対する案内を表示する。この案内は、例えば、サインの入力を行なわせるための料金の案内である。つまり商品やサービスを購入したときの明細や支払い金額を表示する。また案内として、「支払い金額をご確認の上、サインをお願いします。」などのメッセージを表示する。つまりユーザに対し、サインの入力を促す案内を表示する。
【００２７】
図示するように、表示部３２０は矩形状であり、光検出部３１０は、表示部３２０の一辺に沿って１つ配される。ここでは、光検出部３１０は、表示部３２０の上辺に沿って配される。ただしこれに限られるものではなく、表示部３２０の下辺に沿って配してもよく、表示部３２０の左辺や右辺に沿って配してもよい。
【００２８】
検出領域３３０は、画像の表示を行なわず、被検出体Ｔの軌跡を検出することで商品やサービスの購入者（ユーザ）の入力を受け付ける。この軌跡は、つまり上述したサインである。ここでは、検出領域３３０の範囲を枠線を印刷することにより表示し、購入者に対し何れの領域にサインをすればよいかを容易に認識できるようにしている。
【００２９】
図６（ａ）は、検出領域３３０でユーザがサインを行なったときに検出される軌跡の情報について示した図である。
この軌跡の情報は、予め定められた時間間隔（例えば、１ｍｓ）を１サイクルとして、この１サイクル毎に光検出部３１０により検出された被検出体Ｔの位置の情報の集合体である。図６（ａ）に示した例では、軌跡の情報は、Ｘ座標値、Ｙ座標値、１サイクル毎の移動量である線速度を含む。例えば、サインが、１サイクルから１０００サイクルの間でなされたとすると、図６（ａ）に示すように、軌跡の情報は、Ｎｏ．として１〜１０００における位置の情報（Ｘ座標値、Ｙ座標値）と線速度とからなる。
【００３０】
図４に戻り、タッチペン収納部３４０は、タッチペンＰを収納する。タッチペン収納部３４０は、タッチペンＰの大きさより一回り大きい凹部形状をなし、この凹部にタッチペンＰを入れることで収納を行なう。またタッチペン収納部３４０は、把持部３４１を有する。把持部３４１は、他の箇所に比較して凹部の幅が小さくなっている箇所である。そのためタッチペン収納部３４０にタッチペンＰを入れるときに、把持部３４１にタッチペンＰを押し入れることになり、これによりタッチペンＰを固定する。さらにタッチペン収納部３４０は、取出部３４２を有する。取出部３４２は、他の箇所に比較して凹部の幅が大きくなっている箇所である。そしてユーザは、取出部３４２に指を入れることで、タッチペンＰを容易につかむことができ、把持部３４１からタッチペンＰを外して、タッチペン収納部３４０からタッチペンＰを取り出すことができる。
【００３１】
制御部３５０は、表示部３２０で表示する画像を制御するとともに、この画像に基づきユーザが入力したサインの情報を、光検出部３１０により検出された被検出体Ｔの位置を基に取得する。
図６（ｂ）は、図６（ａ）に例示した軌跡の情報（即ち、光検出部３１０により検出された被検出体Ｔの位置の情報を含む）からサインの情報を画像情報として生成した場合を示している。
ここでは、「富士太郎」のサインの情報が、画像情報として生成された例を示している。
【００３２】
＜決済システム１の動作の説明＞
次に決済システム１の動作について説明を行なう。
図７は、第１の実施形態における決済システム１の動作について示したフローチャートである。
まず前提として、購入者（ユーザ）が商品やサービスを購入するときにクレジットカードによる決済をする場合、購入者は、店員等の販売者に対し、その旨を伝え、クレジットカードを渡す。
【００３３】
このとき販売者は、決済端末２０のキー入力部２２を使用し、販売した商品やサービスの名称や支払い金額を入力する（ステップ１０１）。そしてクレジットカードを決済端末２０のカード読取部２３に通し、クレジットカード情報を読み取らせる（ステップ１０２）。
【００３４】
そして販売者が、キー入力部２２に設けられた実行キー等を押下すると、決済端末２０は、ネットワーク９０を介して決済管理サーバ１０に対し、クレジットカード情報や支払い金額情報を含む取引データを送信する（ステップ１０３）。
【００３５】
決済管理サーバ１０では、決済端末２０から送られた取引データを基に取り引きの可否を判断する（ステップ１０４）。そして取り引きの可否結果の情報である取引可否結果情報をネットワーク９０を介して決済端末２０に返信する（ステップ１０５）。
【００３６】
取引可否結果情報を受け取った決済端末２０は、これにより決済が可能であるか否かの判断を行なう（ステップ１０６）。
その結果、決済できない場合（ステップ１０６でＮｏ）、決済端末２０は、表示部２１に決済できない旨の案内を表示し、サインパッド３０の制御部３５０は、表示部３２０に同様の案内を表示する（ステップ１０７）。
対して決済が可能な場合（ステップ１０６でＹｅｓ）、決済端末２０は、表示部２１に決済可能である旨の案内を表示し、サインパッド３０の制御部３５０は、表示部３２０に支払い金額を表示するとともに、購入者に対し、サインの入力を促す案内を表示する（ステップ１０８）。
【００３７】
その結果、購入者が、タッチペンＰをタッチペン収納部３４０から取り出し、検出領域３３０にサインを行なうと、光検出部３１０は、タッチペンＰの位置を検出し、図６（ａ）に示したような軌跡の情報を生成する（ステップ１０９）。
次に図６（ｂ）に示したように、制御部３５０が、軌跡の情報を基に、ユーザが入力したサインの情報を画像情報として生成する（ステップ１１０）。
【００３８】
サインの情報は、決済端末２０が、ネットワーク９０を介して決済管理サーバ１０に送信する（ステップ１１１）。そして決済管理サーバ１０は、取引データおよびサインの情報の保管を行なう（ステップ１１２）。
【００３９】
一方、決済端末２０は、印字部２４によりレシートなどの利用明細の印字を行なう（ステップ１１３）。この利用明細は、購入者に渡される。
【００４０】
なお以上説明した例では、制御部３５０は、サインパッド３０に設けていたが、決済端末２０側に設けてもよい。また軌跡の情報は、光検出部３１０で生成していたが、制御部３５０で生成してもよい。
また決済端末２０は、さらにキャッシュレジスタの機能を付加したＰＯＳ（Point Of Sales）レジ（ＰＯＳ端末）としてもよい。
【００４１】
さらに以上説明した例では、サインパッド３０で入力されたサインは、決済管理サーバ１０で保管されるだけであったが、クレジットカードの裏面に記載されているユーザのサインとの照合を行なってもよい。つまり決済端末２０に、例えば、クレジットカードの裏面に記載されているサインを光学的に読み取るサイン読取部を設ける。そして決済端末２０でサイン読取部で読み取ったサインとサインパッド３０で入力されたサインとの比較を行なう。そして一致した場合は、決済を行なうが、一致しない場合は、決済を行なわない。
【００４２】
［第２の実施形態］
次に第２の実施形態について説明を行なう。
第２の実施形態では、サインパッド３０によりユーザの認証を行なう場合について説明を行なう。この場合、サインパッド３０は、例えば、予め定められた施設や部屋の入口に設置されており、ユーザは、サインパッド３０を使用して認証を行なった上で、入場（入室）する。
【００４３】
＜サインパッド３０の構成の説明＞
図８（ａ）は、第２の実施形態におけるサインパッド３０の一例を示した図である。また図８（ｂ）は、図８（ａ）に示したサインパッド３０のＶＩＩＩｂ−ＶＩＩＩｂ断面図である。
図８（ａ）で示したサインパッド３０は、図４で示したものと比較して、カード読取部３６０が加わる点で異なり、他は同様である。
カード読取部３６０は、図３で示した決済端末２０のカード読取部２３と同様のものである。ただしカード読取部３６０は、クレジットカードに記録されたクレジットカード情報ではなく、ユーザ認証用のＩＤカード等に記録されたユーザ情報を読み取る。
【００４４】
＜サインパッド３０の動作の説明＞
図９は、第２の実施形態におけるサインパッド３０の動作について示したフローチャートである。
【００４５】
まず認証を受けようとするユーザは、ＩＤカードをサインパッド３０のカード読取部３６０に通し、ユーザ情報を読み取らせる（ステップ２０１）。
【００４６】
次に制御部３５０は、表示部３２０に、ユーザに対し、サインの入力を促す案内を表示する（ステップ２０２）。
【００４７】
その結果、ユーザが、タッチペンＰをタッチペン収納部３４０から取り出し、検出領域３３０にサインを行なうと、光検出部３１０は、タッチペンＰの位置を検出し、図６（ａ）に示したような軌跡の情報を生成する（ステップ２０３）。
【００４８】
次に図６（ｂ）に示したように、制御部３５０が、軌跡の情報を基に、ユーザが入力したサインの情報を画像情報として生成する（ステップ２０４）。
さらに制御部３５０は、ユーザ情報を基に予め登録されているサインの情報を取得する（ステップ２０５）。
【００４９】
そして制御部３５０は、ステップ２０４で生成したサインの情報とステップ２０５で取得した予め登録されているサインの情報とを比較する（ステップ２０６）。
その結果、両者が一致しない場合（ステップ２０６でＮｏ）、制御部３５０は、表示部３２０に認証に失敗した旨の案内を表示する（ステップ２０７）。
対して両者が一致した場合（ステップ２０６でＹｅｓ）、制御部３５０は、表示部３２０に認証に成功した旨の案内を表示する（ステップ２０８）。
【００５０】
さらに認証に成功した場合は、制御部３５０は、認証に成功した旨の制御信号を出力する（ステップ２０９）。その後は、例えば、予め定められた施設や部屋への入場（入室）を許可する処理（例えば、ゲートが開く、ドアのロックが解除されるなど）が行われる。
【００５１】
なお以上説明した例では、ステップ２０６において、サインの情報の比較は、制御部３５０で行なったが、認証サーバなどの外部装置を別途設け、ここで行なうようにしてもよい。
【００５２】
［第３の実施形態］
次に第３の実施形態について説明を行なう。
第３の実施形態では、サインパッド３０により、電子文書に対して決済や契約を行なう場合について説明を行なう。この場合、サインパッド３０は、例えば、ＰＣ（Personal Computer）に接続され、ユーザは、サインパッド３０を使用してサインをすることで、電子文書に対して決済や契約を行なう。
第３の実施形態におけるサインパッド３０は、図４で示したものと同様である。以下、第３の実施形態におけるサインパッド３０の動作について説明を行なう。
【００５３】
＜サインパッド３０の動作の説明＞
図１０は、第３の実施形態におけるサインパッド３０の動作について示したフローチャートである。
【００５４】
まず表示部３２０において、対象となる電子文書が表示される（ステップ３０１）。この電子文書は、例えば、サインパッド３０に接続されたＰＣから取得することができる。なおこのとき電子文書は、ＰＣに接続された液晶ディスプレイ等の表示装置に表示し、表示部３２０では、「内容をご確認の上、サインをお願いします。」等の案内を行なうメッセージを表示するようにしてもよい。
次のステップ３０２〜ステップ３０９は、図９のステップ２０２〜ステップ２０９と同様であるので説明を省略する。
【００５５】
なお認証に成功した場合は、電子文書に対してユーザのサインが入力され、電子文書に対する決済や契約が完了する（ステップ３１０）。
【００５６】
なお以上説明した例では、サインの情報を比較することで認証を行なっていたが、第３の実施形態では、この処理は必ずしも必要ではない。
【００５７】
以上説明した形態によれば、筆圧がより小さくてすみ、サイン等を行なう際の軌跡の入力がより容易となる。
【符号の説明】
【００５８】
１…決済システム、１０…決済管理サーバ、２０…決済端末、３０…サインパッド、２１…表示部、２２…キー入力部、２３、３６０…カード読取部、２４…印字部、３１０…光検出部、３２０…表示部、３３０…検出領域、３４０…タッチペン収納部、３５０…制御部
【図１】
2018195066.tif 000003
【図２】
2018195066.tif 000004
【図３】
2018195066.tif 000005
【図４】
2018195066.tif 000006
【図５】
2018195066.tif 000007
【図６】
2018195066.tif 000008
【図７】
2018195066.tif 000009
【図８】
2018195066.tif 000010
【図９】
2018195066.tif 000011
【図１０】
2018195066.tif 000012